(57)【特許請求の範囲】
【請求項１】
太陽光を受光することで発電する太陽光発電部と、該太陽光発電部で発電した電力を蓄える蓄電池部と、前記太陽光発電部の発電量を所定値と比較して、所定値より発電量が低い時には蓄電池部より電力を供給する発電量検知部とを備えた電池ユニットと、
光源と、該光源を制御する点灯回路部とを備えた照明ユニットと、
前記発電量検知部の検知結果を記憶する記憶部と、前記点灯回路部に供給する電力を制御する制御部と、前記蓄電池部からの電力供給が無くなれば前記制御部に電力を供給するバックアップ電源部と、人を検知する人検知部とを備えた制御ユニットと
を備え、
前記制御部は、前記バックアップ電源部が起動後に前記記憶部に前記発電量検知部の検知結果を記憶させ、前記記憶部に記憶された検知結果から夜時間を演算して、その時間の長さに応じて前記点灯回路部に電力供給する時間及び電力量を制御するとともに、前記記憶部のデータから演算した夜時間の長さに応じて、前記人検知部による人検知後に前記点灯回路部に供給する電力及びその時間を決定することを特徴とする照明装置。
【請求項２】
請求項１に記載の照明装置において、
前記蓄電池部の充電量を検知する充電量検知部と、前記発電量検知部で得られる前記太陽光発電部の発電量又は前記充電量検知部で得られる前記蓄電池部の充電量を表示する表示部とを備え、
前記制御部は、前記記憶部に記憶されたデータから演算される夜時間でなければ前記表示部に前記発電量を表示させ、前記夜時間であれば前記表示部に前記充電量を表示させることを特徴とする照明装置。
【請求項３】
請求項２に記載の照明装置において、
前記制御部は、前記表示部による発電量又は充電量の切替を前記光源の点灯状態に連動させて制御することを特徴とする照明装置。
【請求項４】
請求項２又は３に記載の照明装置において、
前記制御部は、前記人検知部にて人が検知された時のみ前記表示部を表示させることを特徴とする照明装置。
【請求項５】
請求項２〜４のいずれか一項に記載の照明装置であって、
前記制御部は、前記蓄電池部の充電量に応じて、前記表示部の光出力を調整することを特徴とする照明装置。
【請求項６】
請求項２〜５のいずれか一項に記載の照明装置であって、
前記充電量検知部にて検知される充電量及び前記発電量検知部にて検知される発電量の少なくとも一方の情報を前記表示部に可視光通信で送信する送信部を備え、
前記表示部は、前記送信部から送信された情報に基づいて充電量又は発電量を表示することを特徴とする照明装置。
【請求項７】
請求項２〜６のいずれか一項に記載の照明装置であって、
前記表示部は、前記光源の調光レベル、点灯の保持時間、累積点灯時間、点灯開始時刻、消灯開始時刻及び人検知回数の少なくとも１つを表示可能に構成されたことを特徴とする照明装置。
【請求項８】
請求項１〜７のいずれか一項に記載の照明装置を複数備え、
各照明装置間で人検知部による人検知情報の送受信が可能な通信部を備え、
前記複数の照明装置の少なくとも１つの照明装置の蓄電池部の充電量が所定値以上の時は、他の照明装置からの人検知情報を受信して前記光源を点灯状態とし、前記蓄電池部の充電量が所定値未満の時は、他の照明装置からの人検知情報を受信しても前記光源を非点灯状態とすることを特徴とする照明システム。
【請求項９】
請求項８に記載の照明システムであって、
前記人検知情報を受信する照明装置内で自身の蓄電池部の充電量を判断することを特徴とする照明システム。
【請求項１０】
請求項８又は９に記載の照明システムであって、
前記照明装置周囲の温度を検出する温度検出部を備え、
前記制御部は、前記温度検出部にて検出される温度が人の体温である場合には、前記人検知部の人検知情報の有無に関わらず前記光源を点灯させることを特徴とする照明システム。
【請求項１１】
請求項８〜１０のいずれか一項に記載の照明システムであって、
前記蓄電池部の充電量が所定値以上で連動制御する照明装置の台数は、所定値未満で連動制御する照明装置の台数より多いことを特徴とする照明システム。
【請求項１２】
請求項８〜１１のいずれか一項に記載の照明システムであって、
前記通信部は、前記人検知情報の送信時に信号の中継動作を行うことを特徴とする照明システム。
【発明の詳細な説明】
【技術分野】
【０００１】
本発明は、照明装置及び照明システムに関するものである。
【背景技術】
【０００２】
従来、太陽光発電を利用した街路灯などの照明装置が提供されている（例えば、特許文献１参照）。この種の照明装置は、太陽光発電部（太陽電池）と蓄電池とを備えており、前記太陽光発電部で発電した電力を蓄電池に充電する。そして、この蓄電池に充電された電力を電源として光源が点灯する。また、人の有無を検知する人感センサを有しており、人の存在を検知した場合に、所定の時間光源を点灯させることができるようになっている。
【先行技術文献】
【特許文献】
【０００３】
【特許文献１】特開２００６−２３６５８４号公報
【発明の概要】
【発明が解決しようとする課題】
【０００４】
ところで、上記のような照明装置では、季節によって夜時間（日照時間）が異なるため蓄電池部に充電される電力が、季節によって変化することが考えられる。このため、蓄電池部の電力量が冬季などの夜時間の長い季節においては、長時間光源を点灯させることとなり、光源を点灯させるための電力が不足する虞がある。
【０００５】
そこで、例えば、太陽光発電部の発電量を検知する発電量検知部を備えて、太陽光発電部の発電量に応じて季節（夜時間）を判定する方法を考えることができる。具体的には、太陽光発電部の発電量が所定量より低くなると夜時間、発電量が所定量以上となると昼時間と判定する構成を追加し、これらの時間を記憶部に記憶させる。そして、制御部等により、予めデータテーブルとして記憶された昼時間及び夜時間のデータと照合し、現在の季節（夜時間）を判定する。そして、制御部は夜時間と判定されると光源を点灯させ、昼時間と判定されると光源を非点灯とさせて昼時間と夜時間との切替を行うようにする。
【０００６】
しかしながら、例えば、昼時間で蓄電池部に充電された電力を光源が点灯される夜時間中に万が一消費されてしまうと、夜から昼への切り替えタイミング時に蓄電池部からの電力供給が無くなり、制御部への電力供給絶たれてしま。このため、その後の動作が保証されずに照明装置としての信頼性低下の虞がある。
【０００７】
本発明は、上記課題を解決するためになされたものであって、その目的は、夜時間の長短を考慮して光源を点灯させつつ、照明装置としての動作の信頼性を高めることが可能な照明装置及び照明システムを提供することにある。
【課題を解決するための手段】
【０００８】
上記課題を解決するために、本発明の照明装置は、太陽光を受光することで発電する太陽光発電部と、該太陽光発電部で発電した電力を蓄える蓄電池部と、前記太陽光発電部の発電量を所定値と比較して、所定値より発電量が低い時には蓄電池部より電力を供給する発電量検知部とを備えた電池ユニットと、光源と、該光源を制御する点灯回路部とを備えた照明ユニットと、前記発電量検知部の検知結果を記憶する記憶部と、前記点灯回路部に供給する電力を制御する制御部と、前記蓄電池部からの電力供給が無くなれば前記制御部に電力を供給するバックアップ電源部と、人を検知する人検知部とを備えた制御ユニットとを備え、前記制御部は、前記バックアップ電源部が起動後に前記記憶部に前記発電量検知部の検知結果を記憶させ、前記記憶部に記憶された検知結果から夜時間を演算して、その時間の長さに応じて前記点灯回路部に電力供給する時間及び電力量を制御するとともに、前記記憶部のデータから演算した夜時間の長さに応じて、前記人検知部による人検知後に前記点灯回路部に供給する電力及びその時間を決定することを特徴とする。
【００１０】
また上記構成において、蓄電池部の充電量を検知する充電量検知部と、前記発電量検知部で得られる前記太陽光発電部の発電量又は前記充電量検知部で得られる前記蓄電池部の充電量を表示する表示部とを備え、前記制御部は、前記記憶部に記憶されたデータから演算される夜時間でなければ前記表示部に前記発電量を表示させ、前記夜時間であれば前記表示部に前記充電量を表示させることが好ましい。
【００１１】
また上記構成において、制御部は、前記表示部による発電量又は充電量の切替を前記光源の点灯状態に連動させて制御することが好ましい。
また上記構成において、前記制御部は、前記人検知部にて人が検知された時のみ前記表示部を表示させることが好ましい。
【００１２】
また上記構成において、前記制御部は、前記蓄電池部の充電量に応じて、前記表示部の光出力を調整することが好ましい。
また上記構成において、前記充電量検知部にて検知される充電量及び前記発電量検知部にて検知される発電量の少なくとも一方の情報を前記表示部に可視光通信で送信する送信部を備え、前記表示部は、前記送信部から送信された情報に基づいて充電量又は発電量を表示することが好ましい。
【００１３】
また上記構成において、前記表示部は、前記光源の調光レベル、点灯の保持時間、累積点灯時間、点灯開始時刻、消灯開始時刻及び人検知回数の少なくとも１つを表示可能に構成されたことが好ましい。
【００１４】
また本発明の照明システムは、上記構成の照明装置を複数備え、各照明装置間で人検知部による人検知情報の送受信が可能な通信部を備え、前記複数の照明装置の少なくとも１つの照明装置の蓄電池部の充電量が所定値以上の時は、他の照明装置からの人検知情報を受信して前記光源を点灯状態とし、前記蓄電池部の充電量が所定値未満の時は、他の照明装置からの人検知情報を受信しても前記光源を非点灯状態とすることが好ましい。
【００１５】
また上記構成において、前記人検知情報を受信する照明装置内で自身の蓄電池部の充電量を判断することが好ましい。
また上記構成において、前記照明装置周囲の温度を検出する温度検出部を備え、前記制御部は、前記温度検出部にて検出される温度が人の体温である場合には、前記人検知部の人検知情報の有無に関わらず前記光源を点灯させることが好ましい。
【００１６】
また上記構成において、前記蓄電池部の充電量が所定値以上で連動制御する照明装置の台数は、所定値未満で連動制御する照明装置の台数より多いことが好ましい。
また上記構成において、前記通信部は、前記人検知情報の送信時に信号の中継動作を行うことが好ましい。
【発明の効果】
【００１７】
本発明によれば、夜時間の長短を考慮して光源を点灯させつつ、照明装置としての動作の信頼性を高めることが可能な照明装置を提供することができる。
【図面の簡単な説明】
【００１８】
【図１】本実実施形態の照明装置の概略構成を説明するための構成図である。
【図２】同上の照明装置の概略構成を説明するためのブロック図である。
【図３】同上の照明装置の動作例について説明するためのタイミングチャートである。
【図４】別例の照明装置を複数備えた照明システムの概略構成について説明するための説明図である。
【図５】同上の照明装置の概略構成を説明するためのブロック図である。
【図６】同上の照明システムの動作例について説明するためのタイミングチャートである。
【図７】（ａ）は別例の照明装置を複数備えた照明システムの動作例について説明するためのタイミングチャートであり、（ｂ）〜（ｄ）は別例の照明装置を複数備えた照明システムについて説明するための説明図である。
【図８】別例の照明装置を複数備えた照明システムの動作例について説明するためのタイミングチャートである。
【図９】別例の照明装置を複数備えた照明システムの概略構成を説明するための説明図である。
【発明を実施するための形態】
【００１９】
（第１実施形態）
以下、本発明の照明装置を街路灯として具体化した第１実施形態を図面に従って説明する。
【００２０】
図１及び図２に示すように、本実施形態の照明装置１０は、基端が道路等の路面に固定される支柱部１１の長手方向途中位置に照明ユニットＬＵの光源４２を備えた道路灯として用いられるものである。支柱部１１には、前記光源４２のほか、先端側に電池ユニットＢＵの太陽光発電部２１と、基端側に取り付けられる筐体部１２とを備える。
【００２１】
図２に示すように、太陽光発電部２１は、太陽電池で構成されており、太陽光を受光することによって発電するものである。そして、太陽光発電部２１は、発電した電力を発電量検知部２２を介して蓄電池部２３に供給することで、蓄電池部２３に充電される。
【００２２】
発電量検知部２２は、太陽光発電部２１の発電量を検知し、検知結果を制御ユニットＣＵの制御部３１に出力している。発電量検知部２２は、太陽光発電部２１での発電量を予め設定した値と比較することによって昼と夜を識別して、夜のみ蓄電池から電力を出力制御する。発電量検知部２２は、例えば、太陽光発電部２１から蓄電池部２３への電流経路に抵抗を挿入して、その抵抗の両端電圧をコンパレータＩＣの入力端子に入れて基準電圧と比較する。コンパレータＩＣはマイコン内蔵のＡ／Ｄ変換機能でも実現できる。発電量検知部２２からの電力の出力制御はマイコン等でパワーＭＯＳ−ＦＥＴなどのスイッチング素子のＯＮ／ＯＦＦ制御で行うことができる。なお、本実施形態では、前記太陽光発電部２１、発電量検知部２２及び蓄電池部２３で電池ユニットＢＵを構成する。
【００２３】
制御部３１は、電池ユニットＢＵの発電量検知部２２と電気的に接続されるマイクロコンピュータ等で構成される。制御部３１は、電池ユニットＢＵの供給する電力を発電量検知部２２を介して監視して、制御部３１と電気的に接続される記憶部３２にその監視データを書き込む。そして制御部３１は、その電力供給時間（蓄電池部が放電可能な持続時間）の過去の履歴から、後述する点灯回路部４１に供給する時間や平均電力を制御する。
【００２４】
また、制御部３１は、前記記憶部３２、計時部３４及び人検知部３５と電気的に接続されている。
人検知部３５は、焦電型の赤外線検出素子（赤外焦動素子）で構成されている。人検知部３５は、所定の検知エリアにおける人から発生する赤外線（熱）、すなわち人と人の背景との温度差を検知しており、温度差を検知することで人を検知する。そして、人検知部３５は、検知エリアにおける人の検知・非検知を示す人体検知信号を生成し、この人体検知信号を制御部３１に送信する。なお、人検知部３５は、ドップラー効果を利用したミリ波センサや超音波センサなどで構成してもよい。
【００２５】
計時部３４は、前記人検知部３５の人体検知信号によって計時を開始するものである。この計時部３４は、計時中に人検知部３５が再度人体検知を出力すると計時を再度開始する。
【００２６】
また、制御部３１にはバックアップ電源部３３が電気的に接続される。バックアップ電源部３３は、比較的容量の大きいコンデンサや電池等で構成され、電池ユニットＢＵからの電力供給が無くなった直後に、少なくとも制御部３１が記憶部３２にデータを書き込む時間だけ制御ユニットＣＵの電源を確保する。なお、本実施形態では、前記制御部３１、記憶部３２、計時部３４、人検知部３５及びバックアップ電源部３３により制御ユニットＣＵを構成する。
【００２７】
制御ユニットＣＵを構成する制御部３１は、照明ユニットＬＵを構成する点灯回路部４１と電気的に接続される。このため、制御部３１を介して前記電池ユニットＢＵで発電された電力が照明ユニットＬＵに供給されるようになっている。
【００２８】
点灯回路部４１は、例えばＬＥＤで構成される光源４２を点滅制御や調光制御するための回路である。なお、点灯回路部４１は、人に違和感を与えないように、明点灯と暗点灯（あるいは点灯と消灯）の切り替え時は、フェード動作を行っても良い。また入力電圧（蓄電池電圧など）が変動しても光源の光出力を略一定に制御するフィードフォワード制御を点灯回路部４１で実現してもよい。
【００２９】
なお、前記筐体部１２には、その内部に前記蓄電池部２３、発電量検知部２２、制御ユニットＣＵを備えるとともに、その外面に人が視認可能な表示部Ｄを備える。
表示部Ｄは、図２に示すように、７セグメントＬＥＤを複数備えて構成され、その発電量検出部で検出した電流値や電力値を制御部で７セグメントＬＥＤ点灯信号に変換して、表示部で発電量（電流値など）の数値を表示する。本実施形態の表示部Ｄは、制御部３１と電気的に接続されて制御部３１によりダイナミック点灯方式で点灯される。
【００３０】
次に、本実施形態の照明装置１０の動作例（作用）について主に図２及び図３を用いて説明する。
本実施形態の照明装置１０の制御部３１は、太陽光発電部２１での発電量を発電量検知部２２を介して監視する。
【００３１】
そして、太陽光発電部２１にて図３に示す閾値ＳＴ以上の発電量にて発電が行われる場合、太陽光発電部２１の発電された電力を蓄電池部２３に蓄える。このとき、制御部３１は、人検知部３５にて人が検知されると、計時部３４を所定時間カウントさせるとともに、計時部３４によるカウントが終了するまで表示部Ｄを表示させる。このとき、制御部３１は、前記太陽光発電部２１の発電量情報を発電量検知部２２を介して取得し、その発電量情報を表示部Ｄに表示させる。
【００３２】
一方、太陽光発電部２１による発電量が前記閾値ＳＴ未満の発電量になると、制御部３１は、人検知部３５にて人が検知されると、計時部３４を所定時間カウントさせるとともに、計時部３４によるカウントが終了するまで表示部Ｄを表示させ光源４２を点灯させる。
【００３３】
電池ユニットＢＵが電力供給を開始すると制御部３１が起動して計時部３４の計時を開始する。このとき、制御部３１はバックアップ電源部３３に前記電池ユニットＢＵからの電力の少なくとも一部を供給してバックアップ電源部３３の充電を開始する。
【００３４】
電池ユニットＢＵが電力供給を停止すると、制御部３１の駆動電源は前記電池ユニットＢＵからバックアップ電源部３３からの電力供給に切り替るようになっている。バックアップ電源部３３が電力を供給している間に、制御部３１は電池ユニットＢＵの供給する電力が停止したことを検知して、内部のタイマーの計時を止めてその計時時間（電力供給時間）を記憶部３２に出力する。すると、記憶部３２は制御部３１から出力される計時時間を記憶する。
【００３５】
また、記憶部３２は所定の記憶エリアを確保して、過去数日間（例えば１週間）の電池ユニットＢＵからの電力供給時間を記憶しており、その平均時間から照明ユニットＬＵに供給する電力のＯＮ−ＤＵＴＹを調整する。
【００３６】
すなわち、夏場などの日照時間の長い時期は、太陽光発電部２１から蓄電池部２３に充電する電力も大きく蓄電池部２３の充電量に余裕があるため、平均時間が短く（夜が短く）、ＯＮ−ＤＵＴＹを比較的大きくして、照明ユニットＬＵ（光源４２）の光出力レベルを大きくする。
【００３７】
一方、冬場などの日照時間の短い時期は、太陽光発電部２１から蓄電池部２３に充電する電力が小さく蓄電池部２３の充電量に少ないため、平均時間が長く（夜が長く）、ＯＮ−ＤＵＴＹを比較的短くして、光源の光出力レベルを下げる。
【００３８】
次に、本実施形態の特徴的な効果を記載する。
（１）太陽光発電部２１の発電量を検知する発電量検知部２２を備えた電池ユニットＢＵと、照明ユニットＬＵと、蓄電池部２３からの電力供給が無くなれば制御部３１に電力を供給するバックアップ電源部３３を備えた制御ユニットＣＵとを備える。制御部３１は、バックアップ電源部３３が起動後に記憶部３２に発電量検知部２２の検知結果を記憶させ、記憶部３２に記憶された検知結果から夜時間を演算して、その時間の長さに応じて点灯回路部４１に電力供給する時間及び電力量を制御する。このように、夜時間を演算してその時間の長さに応じて点灯回路部４１（光源４２）に電力供給する時間及び電力量を制御することで、季節（夜時間）に応じて適切に光源を点灯させることができる。また、夜時間中に電池ユニットＢＵの電力を消費してしまってもバックアップ電源部３３があるため、その後も制御部３１に電力供給されて照明装置１０を確実に動作させることができる。
【００３９】
（２）人を検知する人検知部３５を備え、制御部３１は、記憶部３２のデータから演算した夜時間の長さに応じて、人検知部３５による人検知後に前記点灯回路部４１に供給する電力及びその時間を決定する。このような構成とすることで、人を検知した時のみ、点灯回路部４１に電力供給をおこなうことができる。
【００４０】
（３）蓄電池部２３の充電量を検知する充電量検知部としての発電量検知部２２と、太陽光発電部の発電量又は蓄電池部の充電量を表示する表示部Ｄとを備える。制御部３１は、記憶部３２に記憶されたデータから演算される夜時間でなければ表示部Ｄに発電量を表示させ、夜時間であれば表示部Ｄに充電量を表示させる。このような構成とすることで、発電している昼時間には発電量が表示部Ｄに表示させ、放電している夜時間には蓄電池部２３の充電量が表示させることができる。
【００４１】
（４）制御部３１は、表示部Ｄによる発電量又は充電量の切替を光源４２の点灯状態に連動させて制御する。このため、表示部Ｄによる切り替えタイミングを別途用意する必要がない。
【００４２】
（５）制御部３１は、人検知部３５にて人が検知された時のみ表示部Ｄを表示させる。このような構成とすることで、無駄な電力消費を抑えることができる。
なお、本発明の実施形態は、以下のように変更してもよい。
【００４３】
・上記実施形態では、特に言及していないが、電池ユニットＢＵの電力出力端子（図示略）を制御ユニットＣＵの入力端子（図示略）及び照明ユニットＬＵの入力端子（図示略）に接続可能な構成としてもよい。このような構成とすることで、端子の共有化を図って利便性の向上させることができる。また、例えば単機能照明装置として、制御ユニットＣＵを省略した構成であっても端子の共有化を図ることで利便性の向上させることができる。
【００４４】
・上記実施形態では、特に言及していないが、制御部３１は、蓄電池部２３の充電量に応じて、表示部Ｄの光出力を調整する構成としてもよい。このような構成とすることで、充電量が少ない時には表示部Ｄの各セグメントの表示時間を短くしたり、その光量を減らすことで夜時間の長い冬季などでも表示部Ｄを継続して駆動させることができる。
【００４５】
・上記実施形態では、表示部Ｄは、光源４２の調光レベル、点灯の保持時間、累積点灯時間、点灯開始時刻、消灯開始時刻及び人検知回数の少なくとも１つを表示可能に構成としてもよい。このような構成とすることで、利便性を向上させることができる。
【００４６】
・上記実施形態では、表示部Ｄを７セグメントＬＥＤにて構成したが、これに限らない。例えば、バー状のＬＥＤを複数並設してレベル表示をするインジケータとして表示部Ｄを構成しても良い。このとき、例えば前記ＬＥＤを１０個並設し、１０個点灯すると充電量が最大の１００％となり、１個点灯すると充電量が１０％となるような構成としてもよい。また、前記７セグメントＬＥＤで表示部Ｄを構成した場合にも、充電量や発電量を実際の数値で表示するのでなく、パーセント表示（割合表示）で表示してもよい。
【００４７】
・上記実施形態では、表示部Ｄを照明装置１０の筐体部１２の外面に設ける構成としたが、その位置は適宜変更してもよい。例えば、照明装置１０と別体の表示端末で表示する構成を採用してもよい。なお、表示端末は、専用端末や汎用性のあるＰＤＡ等で構成する方法が考えられ、表示端末及び照明装置１０間は例えば可視光通信等の通信方法によって表示端末に表示する表示データ（情報）をやりとりする方法がある。なお、これらの通信方法については、例えば特開２００８−２０６０８６号公報に記載の方法を利用することが可能であるため、詳細な説明を割愛する。表示端末で表示する蓄電池部２３の残存量（電圧など）のデータを光源４２から送信して、表示端末内の可視光通信受信部で光電変換する。その信号に基づいて表示端末に出力する。なお、スイッチなどの操作手段で、表示が必要な時のみ通信を行って表示端末に表示する構成を採用してもよい。また、表示端末から照明装置への通信手段（赤外線リモコンや電波通信など）を追加して、必要な時のみ可視光通信してもよい。
【００４８】
・上記実施形態では、１つの照明装置１０について言及したが、例えば複数の照明装置を備え、照明装置１０間で通信を行って図４に示すような照明システムを構成してもよい。
【００４９】
例えば、図５に示すように、照明装置１０に通信部３８を備え、人検知部３５によって検知された人検知情報を他の照明装置１０に送信する構成を採用してもよい。
（照明システムＡ）
具体的には、ある照明装置１０の人検知部３５によって人検知がなされると通信部３８を介して他の照明装置１０に人検知情報を送信する。人検知情報は、通信トラフィックを考慮して、人検知部３５が出力信号を出力した時は、最初は送信するが、一度送信すると所定のマスク時間は人を検知しても送信しない方式である。ここでマスク時間は点灯保持時間の設定可能な最少時間より短い時間を設定する。例えば点灯保持時間としては、一般的に３０秒から１０分程度から設置場所に応じて選択するが、マスク時間は例えば１０秒を選択する。なお、通信部３８として無線や電力線搬送を採用する場合は電波法等の法規も考慮して決定する。前記マスク時間経過後に人検知部が出力信号を出力した時は送信する。人検知情報は図４に示すようにシステム全体の照明装置に送信する。人検知情報を送信した照明装置１０が点灯保持時間内に人を検知すると、その点灯を継続して点灯保持時間の計時を再計時する。これと同時に他の照明装置１０に人検知情報を送信する。
【００５０】
また、図６に示すように、蓄電池部の充電量が所定値（基準電圧ＫＶ１）以上の時は、他の照明装置１０からの人検知情報を受信して所定の点灯保持時間明点灯し、蓄電池部２３の充電量が所定値未満の時は、他の照明装置１０からの人検知情報を受信しても明点灯しない。
【００５１】
（照明システムＢ）
本例では図５に示すようにアドレス設定部３７を加えている。このアドレス設定部３７は、ディップスイッチで構成される。また、本例では人検知情報（送信元の照明装置１０のアドレスを付加した情報）に対応して制御する範囲が予め設定される。本例では図６に示すように、人検知した照明装置（ＩＤ４）の両隣の照明装置（ＩＤ３とＩＤ５）は連動動作を行うが、他の照明装置１０（ＩＤ１、ＩＤ２、ＩＤ６、ＩＤ７）は連動動作しない。この例では連動動作の範囲は人検知した照明装置（ＩＤ４）の両隣の照明装置（ＩＤ３とＩＤ５）であるが、グループ単位で設定する方式や、直線状に照明装置１０が並んでいる場合は、進行方向の照明装置１０のみ（例えば、ＩＤ１→ＩＤ２の順番で人を検知した履歴情報から、次にＩＤ３が検知すればＩＤ４の照明装置）の光源４２を点灯する方式でもよい。また、図６に示すように、人検知した照明装置（ＩＤ４）と連動動作する両隣の照明装置（ＩＤ３とＩＤ５）は、人検知した照明装置（ＩＤ４）以上の点灯時間を確保してもよい。
【００５２】
また、例えば図７（ａ）（ｂ）に示すように蓄電池の充電量が基準電圧ＫＶ１以上では、前記照明システムＡと同様にシステム全体の照明装置１０が連動動作するように構成させる（モードＡ）。そして、図７（ａ）（ｃ）に示すように充電量が基準電圧ＫＶ２未満で基準電圧ＫＶ１以上では予め設定した範囲の照明装置のみが連動動作するように構成させる（モードＢ）。そして、図７（ａ）（ｄ）に示すように充電量が基準電圧ＫＶ１未満では上記照明システムＡと同様に、連動動作しない（モードＣ）。なお、本例ではモードＡはシステム全体の照明装置１０が連動動作するが、モードＢで連動動作する照明装置の台数よりモードＡで連動動作する照明装置１０の台数が多ければ、システム全体である必要はない。
【００５３】
また、図９に示したように通信範囲を広げるように中継動作を行うような構成としてもよい。予め中継する照明装置１０には、送信元の照明装置１０のＩＤと中継先の照明装置１０のＩＤを設定して、例えば、ＩＤ６はＩＤ４からの信号を受信すればＩＤ７に中継するように設定する。中継動作を繰り返さないように、中継信号であることを示すフラグを受信した人検知情報に追加して中継動作する。
【００５４】
（照明システムＣ）
本例では周囲の温度を検出する温度検出部３６を追加した構成で、検出した温度が人間の体温近傍の場合は、人検知部３５の出力信号に関わらず点灯する。これは人検知部３５が焦電センサ（ＰＩＲ）等で構成されていると、焦電センサが温度変化を検出するセンサであることから、人体の周囲温度が体温付近の場合に、人が存在しても検出できない課題を解決する為である。図８に示すように、温度検出部３６が体温近傍（図８では、３６℃〜４５℃）では、人検知部３５の出力に関係なく点灯すると同時に、他の照明装置１０に人検知情報（体温近傍であるフラグを追加した情報）を送信する。送信元の照明装置１０は温度検出部３６が体温近傍の範囲では点灯を継続し、マスク時間間隔で人検知情報の送信を継続する。
【符号の説明】
【００５５】
１０…照明装置、２２…発電量検知部、２１…太陽光発電部、２３…蓄電池部、３１…制御部、３２…記憶部、３３…バックアップ電源部、３５…人検知部、３６…温度検出部、３８…通信部（送信部）、４１…点灯回路部、４２…光源、Ｄ…表示部、ＢＵ…電池ユニット、ＣＵ…制御ユニット、ＬＵ…照明ユニット、ＳＴ…閾値（所定値）、ＫＶ１，ＫＶ２…基準電圧（所定値）。
【図１】
0005834260.tif 000002
【図２】
0005834260.tif 000003
【図３】
0005834260.tif 000004
【図４】
0005834260.tif 000005
【図５】
0005834260.tif 000006
【図６】
0005834260.tif 000007
【図７】
0005834260.tif 000008
【図８】
0005834260.tif 000009
【図９】
0005834260.tif 000010